【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
無線路を含む通信ネットワーク（１２，１５，１８）によって、サーバ（２０）と無線端末（MS）の間で、マルチメディア・メッセージ・システムにおけるマルチメディア・メッセージを送信する方法であって、一つまたはそれ以上の構成要素を含む、前記無線端末（MS）宛のマルチメディア・メッセージを前記サーバ（２０）で受信し、該マルチメディア・メッセージについての通知メッセージ（３０）を前記無線端末（MS）に送信すると共に、前記無線端末（２０）の特性についての情報を前記サーバ（２０）に記憶し、該サーバ（２０）に記憶された前記無線端末（MS）の特性についての情報を使用して、前記無線端末（MS）が処理できる構成要素を前記マルチメディア・メッセージが含んでいるかどうかを判定し、そのような構成要素が前記マルチメディア・メッセージに含まれているならば、その構成要素を、前記無線端末（MS）が前記構成要素を前記マルチメディア・メッセージ・システムに対して明示的に確認することなく、前記無線端末に送信する方法において、前記通知メッセージ（３０）の前記無線端末（MS）への送信と前記マルチメディア・メッセージの該無線端末（MS）への送信との間で、該無線端末の特性についての対話を、該無線端末（MS）及び前記サーバ（２０）間で行わないことを特徴とする方法。
【請求項２】
前記無線端末（MS）が前記マルチメディア・メッセージ・システムに要求を送信し、前記要求が、前記無線端末（MS）が処理できる構成要素を、前記要求で確認することなく、前記無線端末への前記マルチメディア・メッセージの少なくとも一つの構成要素の送信を開始させるようになっていることを特徴とする請求項１に記載の方法。
【請求項３】
前記無線端末（MS）が処理できる前記マルチメディア・メッセージの構成要素を、前記無線端末（MS）が送信要求を送信することなく、前記無線端末（MS）に送信することを特徴とする請求項１に記載の方法。
【請求項４】
前記無線端末（MS）の特性についての前記情報が、前記無線端末（MS）の使用可能メモリについての情報を含むことを特徴とする請求項１〜３のいずれか一項に記載の方法。
【請求項５】
前記無線端末（MS）の特性についての前記情報が、ある形式の構成要素を処理するための前記無線端末（MS）の能力についての情報を含むことを特徴とする請求項１〜４のいずれか一項に記載の方法。
【請求項６】
ある形式の構成要素を処理するための前記無線端末（MS）の能力が、前記無線端末（MS）のハードウェア特性と、前記無線端末（MS）のソフトウェア特性の少なくともひとつによって規定されることを特徴とする請求項５に記載の方法。
【請求項７】
前記サーバ（２０）での前記マルチメディア・メッセージの受信を示すために通知メッセージ（３０）を前記無線端末（MS）に送信する方法において、前記無線端末（MS）の特性についての情報が前記サーバ（２０）に記憶されているかどうかを判定し、前記情報が前記サーバ（２０）に記憶されていなければ、特性情報更新要求（３８）を前記通知メッセージ（３０）に含めると共に、前記無線端末（MS）が、前記サーバ（２０）に前記無線端末（MS）の特性についての情報を送信することによって、前記特性情報更新要求（３８）の受信に応じることを特徴とする請求項１〜６のいずれか一項に記載の方法。
【請求項８】
前記サーバ（２０）に記憶された前記無線端末（MS）の特性についての情報に対して最大有効時間を規定することを特徴とする請求項１〜７のいずれか一項に記載の方法。
【請求項９】
前記サーバ（２０）に記憶された前記無線端末（MS）の特性についての前記情報に対して規定された前記最大有効時間が過ぎたかどうかを判定し、前記最大有効時間が過ぎた場合に、特性情報更新要求（３８）を前記通知メッセージ（３０）に含めることを特徴とする請求項８に記載の方法。
【請求項１０】
前記特性情報更新要求（３８）に対する前記無線端末（MS）からの応答が受信されないならば、前記サーバ（２０）に記憶された前記無線端末（MS）の特性についての情報を、前記無線端末（MS）の特性についての情報として使用することを特徴とする請求項９に記載の方法。
【請求項１１】
前記無線端末（MS）への前記マルチメディア・メッセージの少なくとも一つの構成要素の送信のためのコネクションをセットアップするために、コネクション・セットアップ要求メッセージ（４０）を前記無線端末（MS）から前記マルチメディア・メッセージ・システムに送信する方法において、前記通知メッセージ（３０）を調べて、前記通知メッセージ（３０）が特性情報更新要求（３８）を含んでいるかどうかを判定し、前記無線端末（MS）の特性についての情報を、前記コネクション・セットアップ要求メッセージ（４０）で、前記無線端末（MS）から前記マルチメディア・メッセージ・システムに送信することを特徴とする請求項７、８、９、または１０のいずれか一項に記載の方法。
【請求項１２】
前記無線端末（MS）への前記マルチメディア・メッセージの少なくとも一つの構成要素の送信のためのコネクションをセットアップするために、コネクション・セットアップ要求メッセージ（４０）を前記無線端末（MS）から前記マルチメディア・メッセージ・システムに送信する方法において、前記通知メッセージ（３０）を調べて、前記通知メッセージ（３０）が特性情報更新要求（３８）を含んでいるかどうかを判定し、前記無線端末（MS）の特性についての情報を、前記コネクション・セットアップ要求メッセージ（４０）と共に、前記無線端末（MS）から前記マルチメディア・メッセージ・システムに送信することを特徴とする請求項７、８、９または１０のいずれか一項に記載の方法。
【請求項１３】
前記無線端末（MS）がWAP端末であることを特徴とする請求項１〜１２のいずれか一項に記載の方法。
【請求項１４】
前記サーバ（２０）がマルチメディア・メッセージ・サービス・センタ（MMSC）であることを特徴とする請求項１〜１３のいずれか一項に記載の方法。
【請求項１５】
前記無線端末（MS）に前記通知メッセージ（３０）を送信する前に該無線端末（MS）の特性についての情報を送信するために、WAP仕様によるUaprof情報送信メッセージを送信することを特徴とする請求項１３に記載の方法。
【請求項１６】
前記無線端末（MS）への前記マルチメディア・メッセージの少なくとも一つの構成要素の送信のためのコネクションをセットアップするために、コネクション・セットアップ要求メッセージ（４０）を前記無線端末（MS）から前記マルチメディア・メッセージ・システムに送信する方法において、前記コネクションをセットアップする間に、前記無線端末（MS）の特性についての情報を送信するために、WAP仕様によるUaprof情報送信メッセージを使用することを特徴とする請求項１３に記載の方法。
【請求項１７】
前記無線端末（MS）によって処理できないマルチメディア・メッセージの構成要素を、前記サーバ（２０）に記憶された前記無線端末（MS）の特性についての情報に基いて送信するために、前記無線端末（MS）が、前記構成要素を識別する送信要求を送信することを特徴とする請求項１〜１６のいずれか一項に記載の方法。
【請求項１８】
マルチメディア・メッセージ・システムであって、サーバ（２０）と、無線路および無線端末（MS）を含む通信ネットワーク（１２，１５，１８）と、一つまたはそれ以上の構成要素を含む、前記無線端末（MS）宛のマルチメディア・メッセージを前記サーバ（２０）において受信する手段（５１，５２，５３）と、該マルチメディア・メッセージについての通知メッセージ（３０）を前記無線端末（MS）に送信する手段と、前記無線端末（MS）の特性についての情報を前記サーバ（２０）に記憶する手段と、前記無線端末（MS）が処理できる構成要素を前記マルチメディア・メッセージが含んでいるかどうかを判定するために、前記サーバ（２０）に記憶された前記無線端末（MS）の特性についての情報を使用する手段（５５）と、そのような構成要素を、前記無線端末（MS）が前記構成要素を前記マルチメディア・メッセージ・システムに対して明示的に確認することなく、前記無線端末に送信する手段（５１）と、を備えた前記マルチメディア・メッセージ・システムにおいて、前記通知メッセージ（３０）の前記無線端末（MS）への送信と前記マルチメディア・メッセージの該無線端末（MS）への送信との間で、該無線端末の特性についての対話を、該無線端末（MS）及び前記サーバ（２０）間で行うことなく該無線端末（MS）に前記マルチメディア・メッセージを送信するようになっていることを特徴とするマルチメディア・メッセージ・システム。
【請求項１９】
前記無線端末（MS）が、前記マルチメディア・メッセージ・システムに要求を送信する手段を備え、前記要求が、前記無線端末（MS）が処理できる構成要素を前記要求で確認することなく、前記無線端末への前記マルチメディア・メッセージの少なくとも一つの構成要素の送信を開始させるようになっていることを特徴とする請求項１８に記載のシステム。
【請求項２０】
前記無線端末（MS）が処理できるマルチメディア・メッセージの構成要素を、前記無線端末（MS）が送信要求を送信することなく、前記無線端末（MS）に送信する手段を備えたことを特徴とする請求項１８に記載のシステム。
【請求項２１】
前記無線端末（MS）の特性についての前記情報が、前記無線端末（MS）の使用可能メモリについての情報を含むことを特徴とする請求項１８，１９、または２０のいずれか一項に記載のシステム。
【請求項２２】
前記無線端末（MS）の特性についての前記情報が、ある形式の構成要素を処理するための前記無線端末（MS）の能力についての情報を含むことを特徴とする請求項１８，１９，２０、または２１のいずれか一項に記載のシステム。
【請求項２３】
ある形式の構成要素を処理するための前記無線端末（MS）の能力が、前記無線端末（MS）のハードウェア特性と、前記無線端末（MS）のソフトウェア特性の少なくともひとつによって規定されることを特徴とする請求項２２のシステム。
【請求項２４】
前記サーバ（２０）での前記マルチメディア・メッセージの受信を示すために、通知メッセージ（３０）を前記無線端末（MS）に送信する手段（１８，１５，１２）を備えたシステムにおいて、前記無線端末（MS）の特性についての情報が前記サーバ（２０）に記憶されているかどうかを判定する手段と、前記情報が前記サーバ（２０）に記憶されていなければ、特性情報更新要求（３８）を前記通知メッセージ（３０）に含める手段（５５）とをさらに備えると共に、前記無線端末（MS）が、前記特性情報更新要求（３８）の受信に応答して、前記サーバ（２０）に前記無線端末（MS）の特性についての情報を送信する手段（MPU，RF，ANT）を備えたことを特徴とする請求項１８〜２３のいずれか一項に記載のシステム。
【請求項２５】
前記サーバ（２０）に記憶された前記無線端末（MS）の特性についての情報に対して最大有効時間を規定することを特徴とする請求項１８〜２４のいずれか一項に記載のシステム。
【請求項２６】
前記サーバ（２０）に記憶された前記無線端末（MS）の特性についての情報に対して規定された前記最大有効時間が過ぎたかどうかを判定する手段（５５）と、前記最大有効時間が過ぎた場合に、特性情報更新要求（３８）を前記通知メッセージ（３０）に含める手段（５５）とを備えたことを特徴とする請求項２５に記載のシステム。
【請求項２７】
前記特性情報更新要求（３８）に対する前記無線端末（MS）からの応答が受信されなければ、前記サーバ（２０）に記憶された前記無線端末（MS）の特性についての情報を、前記無線端末（MS）の特性についての情報として使用するようになっていることを特徴とする請求項２６に記載のシステム。
【請求項２８】
前記無線端末（MS）が、該無線端末（MS）への前記マルチメディア・メッセージの少なくとも一つの構成要素の送信のためのコネクションをセットアップするために、コネクション・セットアップ要求メッセージ（４０）を前記無線端末（MS）から前記マルチメディア・メッセージ・システムに送信する手段（MPU，RF，ANT）を備えたシステムにおいて、前記無線端末（MS）が、特性情報更新要求（３８）を受け取ったならば、前記無線端末（MS）の特性についての情報を前記コネクション・セットアップ要求メッセージ（４０）で送信するようになっていることを特徴とする請求項２４、２５、２６、または２７のいずれか一項に記載のシステム。
【請求項２９】
前記無線端末（MS）が、該無線端末（MS）への前記マルチメディア・メッセージの少なくとも一つの構成要素の送信のためのコネクションをセットアップするために、コネクション・セットアップ要求メッセージ（４０）を前記無線端末（MS）から前記マルチメディア・メッセージ・システムに送信する手段（MPU，RF，ANT）を備えたシステムにおいて、該システムが前記通知メッセージ（３０）が特性情報更新要求（３８）を含んでいるかどうかを判定するために、前記通知メッセージ（３０）を調べる手段をさらに備えると共に、前記無線端末（MS）が、該無線端末（MS）の特性についての情報を、前記コネクション・セットアップ要求メッセージ（４０）で、前記無線端末（MS）から前記マルチメディア・メッセージ・システムに送信する手段（MPU，RF，ANT）を備えたことを特徴とする請求項２４、２５、２６、または２７のいずれか一項に記載のシステム。
【請求項３０】
前記無線端末（MS）がWAP端末であることを特徴とする請求項１８〜２９のいずれか一項に記載のシステム。
【請求項３１】
前記サーバ（２０）がマルチメディア・メッセージ・サービス・センタ（MMSC）であることを特徴とする請求項１８〜３０のいずれか一項に記載のシステム。
【請求項３２】
前記無線端末（MS）に前記通知メッセージ（３０）を送信する前に、該無線端末（MS）の特性についての情報を送信するために、WAP仕様によるUaprof情報送信メッセージを送信するようになっていることを特徴とする請求項３０に記載のシステム。
【請求項３３】
前記無線端末（MS）が、該無線端末（MS）への前記マルチメディア・メッセージの少なくとも一つの構成要素の送信のためのコネクションをセットアップするために、コネクション・セットアップ要求メッセージ（４０）を前記無線端末（MS）から前記マルチメディア・メッセージ・システムに送信する手段（MPU，RF，ANT）を備えたシステムにおいて、前記コネクションをセットアップする間に、前記無線端末（MS）の特性についての情報を送信するために、WAP仕様によるUaprof情報送信メッセージを使用するようになっていることを特徴とする請求項３０に記載のシステム。
【請求項３４】
マルチメディア・メッセージ・システムにおいて使用されるサーバ（２０）であって、前記マルチメディア・メッセージ・システムが、無線路および無線端末（MS）を含む通信ネットワーク（１２，１５，１８）と、一つまたはそれ以上の構成要素を含む、前記無線端末（MS）宛のマルチメディア・メッセージを前記サーバ（２０）において受信する手段（５１，５２，５３）と、該マルチメディア・メッセージについての通知メッセージ（３０）を前記無線端末（MS）に送信する手段と、前記無線端末（２０）の特性についての情報を前記サーバ（２０）に記憶する手段と、前記無線端末（MS）が処理できる構成要素を前記マルチメディア・メッセージが含んでいるかどうかを判定するために、前記サーバ（２０）に記憶された前記無線端末（MS）の特性についての情報を使用する手段（５５）と、そのような構成要素を、前記無線端末（MS）が前記構成要素を前記マルチメディア・メッセージ・システムに対して明示的に確認することなく、前記無線端末に送信する手段（５１）と、を備えた前記サーバ（２０）において、前記通知メッセージ８３０）の前記無線端末（MS）への送信後で且つ前記マルチメディア・メッセージの該無線端末（MS）への送信前に、該無線端末の特性についての対話を、該無線端末（MS）及び前記サーバ（２０）間で行うことなく該無線端末（MS）に前記マルチメディア・メッセージを送信するようになっていることを特徴とするサーバ。
【請求項３５】
前記サーバ（２０）に記憶された前記無線端末（MS）の特性についての情報に対して最大有効時間を規定することを特徴とする請求項３４に記載のサーバ。
【請求項３６】
前記サーバ（２０）での前記マルチメディア・メッセージの受信を示すために、通知メッセージ（３０）を前記無線端末（MS）に送信する手段（１８，１５，１２）を備えたサーバ（２０）において、前記無線端末（MS）の特性についての情報が前記サーバ（２０）に記憶されているかどうかを判定する手段と、前記情報が前記サーバ（２０）に記憶されていなければ、特性情報更新要求（３８）を前記通知メッセージ（３０）に含める手段（５５）と、前記無線端末（MS）からの該無線端末（MS）の特性についての情報を受信する手段（５１）と、を備えたことを特徴とする請求項３４または３５に記載のサーバ。
【請求項３７】
前記サーバ（２０）に記憶された前記無線端末（MS）の特性についての情報に対して規定された前記最大有効時間が過ぎたかどうかを判定する手段（５５）と、前記最大有効時間が過ぎた場合に、特性情報更新要求（３８）を前記通知メッセージ（３０）に含める手段（５５）とを備えたことを特徴とする請求項３５または３６に記載のサーバ。
【請求項３８】
マルチメディア・メッセージ・サービス・センタ（MMSC）であることを特徴とする請求項３４〜３７のいずれか一項に記載のサーバ。
【請求項３９】
前記無線端末（MS）に前記通知メッセージ（３０）を送信する前に、該無線端末（MS）の特性についての情報を含む、WAP仕様によるUaprof情報送信メッセージを該無線端末（MS）から受信するようになっていることを特徴とする請求項３４〜３８のいずれか一項に記載のサーバ。
【請求項４０】
マルチメディア・メッセージ・システムにおいて使用される無線端末（MS）であって、前記マルチメディア・メッセージ・システムが、サーバ（２０）と、無線路を含む通信ネットワーク（１２，１５，１８）と、マルチメディア・メッセージについての通知メッセージ（３０）を受信し且つ一つまたはそれ以上の構成要素を含み、前記サーバ（２０）において前記無線端末（MS）にアドレス指定されたマルチメディア・メッセージを受信する手段（５１，５２，５３）と、前記無線端末（２０）の特性についての情報を前記サーバ（２０）に記憶する手段と、を備え、前記無線端末（MS）は、前記マルチメディア・メッセージ・システムに要求を送信する手段を備え、前記要求が、前記無線端末（MS）が処理できる構成要素を前記要求で確認することなく、前記無線端末（MS）への前記マルチメディア・メッセージの少なくとも一つの構成要素の送信を開始させるようになっている前記無線端末（MS）において、前記通知メッセージ（３０）の受信と前記マルチメディア・メッセージの受信との間で、前記無線端末の特性についての対話を、該無線端末（MS）及び前記サーバ（２０）間で行うことなく該サーバ（２０）から前記マルチメディア・メッセージを受信するようになっていることを特徴とする無線端末。
【請求項４１】
前記無線端末（MS）の特性についての前記情報が、前記無線端末（MS）の使用可能メモリについての情報を含むことを特徴とする請求項４０に記載の無線端末。
【請求項４２】
前記無線端末（MS）の特性についての前記情報が、ある形式の構成要素を処理するための前記無線端末（MS）の能力についての情報を含むことを特徴とする請求項４０または４１に記載の無線端末。
【請求項４３】
ある形式の構成要素を処理するための前記無線端末（MS）の能力が、該無線端末（MS）のハードウェア特性と、該無線端末（MS）のソフトウェア特性の少なくともひとつによって規定されることを特徴とする請求項４２に記載の無線端末。
【請求項４４】
前記サーバ（２０）での前記マルチメディア・メッセージの受信を示すために、前記サーバ（２０）から送信された通知メッセージ（３０）を受信する手段（１８，１５，１２）を備えた無線端末（MS）において、前記通知メッセージ（３０）が特性情報更新要求（３８）を含むかどうかを判定する手段（５５）と、前記通知メッセージ（３０）が特性情報更新要求（３８）を含んでいるならば、前記無線端末（MS）の特性についての情報を、前記無線端末（MS）から前記サーバ（２０）に送信する手段（MPU，RF，ANT）とを備えたことを特徴とする請求項４０〜４３のいずれか一項に記載の無線端末。
【請求項４５】
WAP端末であることを特徴とする請求項４０〜４４のいずれか一項に記載の無線端末。
【請求項４６】
前記送信する手段が、前記無線端末（MS）に前記通知メッセージ（３０）を送信する前に、前記無線端末（MS）の特性についての情報を送信するために、WAP仕様によるUaprof情報送信メッセージを送信するようになっていることを特徴とする請求項４５に記載の無線端末。
【請求項４７】
前記無線端末（MS）への前記マルチメディア・メッセージの少なくとも一つの構成要素の送信のためのコネクションをセットアップするために、コネクション・セットアップ要求メッセージ（４０）を前記無線端末（MS）から前記マルチメディア・メッセージ・システムに送信する手段（MPU，RF，ANT）を備えた無線端末（MS）において、前記コネクションをセットアップする間に、前記無線端末（MS）の特性についての情報を送信するために、WAP仕様によるUaprof情報送信メッセージを使用するようになっていることを特徴とする請求項４５に記載の無線端末。
【請求項４８】
前記無線端末（MS）が処理できないマルチメディア・メッセージの構成要素を確認する送信要求を、前記無線端末（MS）の特性についての情報に基いて送信する手段（MPU，RF，ANT）を備えたことを特徴とする請求項４０〜４７のいずれか一項に記載の無線端末。
【手続補正２】
【補正対象書類名】明細書
【補正対象項目名】発明の名称
【補正方法】変更
【補正の内容】
【発明の名称】マルチメディア・メッセージ送信方法、マルチメディア・メッセージ・システム、マルチメディア・メッセージ・システムのサーバおよび無線端末
【手続補正３】
【補正対象書類名】明細書
【補正対象項目名】０００１
【補正方法】変更
【補正の内容】
【０００１】
本発明は、マルチメディア・メッセージを送信するための請求項１の前文による方法に関する。本発明はまた、請求項１８の前文によるマルチメディア・メッセージのためのシステムに関する。更に、本発明は、請求項３４の前文によるマルチメディア・メッセージ・システムのサーバに関する。本発明はまた、請求項４０の前文による無線端末に関する。
【手続補正４】
【補正対象書類名】明細書
【補正対象項目名】００１８
【補正方法】変更
【補正の内容】
【００１８】
本発明の方法は、請求項１の特徴記載部分に示されていることを特徴としている。本発明のマルチメディア・メッセージ・システムは、請求項１８の特徴記載部分に示されていることを特徴としている。本発明のマルチメディア・メッセージ・システムのサーバは、請求項３４の特徴記載部分に示されていることを特徴としている。また、本発明の無線端末は、請求項４０の特徴記載部分に示されていることを特徴としている。
本発明は、無線端末の特性についての情報を、マルチメディア・メッセージ・システムに、好適には、マルチメディア・メッセージ・サービス・センタに記憶し、その結果、特性情報を各メッセージと関連して送信しなくてもよいという考えに基いている。本発明の好適実施例の方法においては、最大有効時間を特性情報のために設定し、その場合、システムが、メッセージを無線端末に送信する前に、特性情報が依然として適切かどうか、あるいは、無線端末の特性についての情報をそのメッセージを送信する前に更新すべきかどうかを判定する。